(57)【要約】【課題】冷蔵庫の他の貯蔵領域が制限することがなく冷蔵庫の貯蔵容量を確保しながら、米を貯蔵することができる冷蔵庫を提供する。【解決手段】冷蔵庫１は、貯蔵室５を有する本体１Ａと、貯蔵室５内に配置されて米を収納して保存する米収納容器５Ｍと、米収納容器５Ｍを貯蔵室５内から引き出すことができる引出し式扉１１を備え、米収納容器５Ｍの底部５Ｋは、引出し式扉１１の引き出す方向ＳＳに関して、米収納容器５Ｍの奥側から手前側に向けて下がるように傾斜して形成されている。【選択図】図２
2016223654.tif 000002
【特許請求の範囲】
【請求項１】
貯蔵室を有する本体と、
前記貯蔵室内に配置されて米を収納して保存する米収納容器と、
前記米収納容器を前記貯蔵室内から引き出すことができる引出し式扉と、を備え、
前記米収納容器の底部は、前記引出し式扉の引き出す方向に関して、前記米収納容器の奥側から手前側に向けて下がるように傾斜して形成されている冷蔵庫。
【請求項２】
前記米収納容器の前記底部には、前記米収納容器の手前側の部分に、平坦面が形成されている請求項１に記載の冷蔵庫。
【請求項３】
前記引出し式扉の前記引き出す方向と交差する方向に関して、前記米収納容器の前記底部の中央部分が、最も低くなるように形成されている請求項１に記載の冷蔵庫。
【請求項４】
前記引出し扉が、前記米収納容器を収容している前記貯蔵室を密閉して閉じる密閉構造になっている請求項１ないし３のいずれかに記載の冷蔵庫。
【請求項５】
前記貯蔵室は、抗菌または除菌可能である請求項１ないし４のいずれかに記載の冷蔵庫。
【請求項６】
前記貯蔵室は、調湿機能を有する請求項１ないし４のいずれかに記載の冷蔵庫。
【請求項７】
前記貯蔵室は、脱酸素剤を保持している請求項１ないし４のいずれかに記載の冷蔵庫。
【請求項８】
前記貯蔵室は、減酸素セルを保持している請求項１ないし７のいずれかに記載の冷蔵庫。
【請求項９】
前記米収納容器は、野菜を貯蔵可能な前記貯蔵室としての野菜室内に配置される請求項１ないし８のいずれかに記載の冷蔵庫。
【請求項１０】
前記野菜室には、複数段の収納容器が配置され、前記複数段の前記収納容器の内の最下段の前記収納容器が、前記米収納容器として配置される請求項９に記載の冷蔵庫。
【発明の詳細な説明】
【技術分野】
【０００１】
本発明の実施の形態は、冷蔵庫に関する。
【背景技術】
【０００２】
特許文献１に開示されているように、比較的小容積の複数の貯蔵ユニットが、従来の冷蔵庫の本体内に組み込まれている。各貯蔵ユニットには、使用者が保存したい食品等を保存するようになっており、特許文献１の図６に示すように、貯蔵ユニットは、計量米びつとして用いられる。
【０００３】
この計量米びつは、米の収納と米の計量が行え、引出し式扉に設けられた米の収納する米収納室と、米の計量部と、米受け皿を有している。米の計量部は、米収納室の下部から下方に突出しており、米収納室内の米は、米の計量部を通過して計量された後に、米受け皿に受けるようになっている。
【先行技術文献】
【特許文献】
【０００４】
【特許文献１】特開２００４−１６２９３３号
【発明の概要】
【発明が解決しようとする課題】
【０００５】
上述したように、特許文献１に開示されている冷蔵庫の計量米びつは、米の収納および米の計量取出しが行えるようになっているが、計量米びつは、米収納室の他に、米の計量部と米受け皿を別途有する構造である。このため、計量米びつの米の計量部と米受け皿が、冷蔵庫のかなりのスペースを占有してしまうことで、冷蔵庫の他の貯蔵領域が制限されてしまい、冷蔵庫の貯蔵容量の拡大を図ることが難しい。
【０００６】
本発明は、上記に鑑みてなされたもので、その目的とするところは、冷蔵庫の他の貯蔵領域が制限することがなく冷蔵庫の貯蔵容量を確保しながら、米を貯蔵することができる冷蔵庫を提供することにある。
【課題を解決するための手段】
【０００７】
本発明の実施の形態の冷蔵庫は、貯蔵室を有する本体と、前記貯蔵室内に配置されて米を収納して保存する米収納容器と、前記米収納容器を前記貯蔵室内から引き出すことができる引出し式扉と、を備え、前記米収納容器の底部は、前記引出し式扉の引き出す方向に関して、前記米収納容器の奥側から手前側に向けて下がるように傾斜して形成されている。
【図面の簡単な説明】
【０００８】
【図１】本発明の第１実施形態の冷蔵庫の全体を示す正面図である。
【図２】図１に示す冷蔵庫の縦断面図である。
【図３】制御部と、操作パネルと、冷凍サイクルと、貯蔵室の温度センサを示す図である。
【図４】米収納容器の形状例を示す斜視図である。
【図５】米収納容器の正面図である。
【図６】本発明の第２実施形態の冷蔵庫の縦断面図である。
【図７】本発明の第３実施形態の冷蔵庫の縦断面図である。
【図８】本発明の第４実施形態の冷蔵庫の縦断面図である。
【図９】本発明の第５実施形態の冷蔵庫の縦断面図である。
【図１０】本発明の第６実施形態の冷蔵庫の縦断面図である。
【図１１】本発明の第７実施形態の冷蔵庫の縦断面図である。
【図１２】本発明の第８実施形態を示す図である。
【図１３】本発明の第８実施形態を示す図である。
【図１４】本発明の第９実施形態の冷蔵庫の全体を示す正面図である。
【図１５】図１４に示す冷蔵庫の縦断面図である。
【発明を実施するための形態】
【０００９】
以下、図面を用いて、本発明の実施するための形態（以下、実施形態と称する）を説明する。
【００１０】
＜第１実施形態＞
図１は、本発明の第１実施形態に係わる冷蔵庫の全体を示す正面図である。図２は、図１に示す冷蔵庫１の縦断面図である。
【００１１】
図１と図２に示す冷蔵庫１は、本体１Ａを有している。この冷蔵庫１の本体１Ａは、左側面部１７と、右側面部１８と、上面部１９と、底面部１５と、背面部１６を有している。本体１Ａは、外側側板からなる外箱と、内側側板からなる内箱を有し、その外箱と内箱の間には、断熱材が配置されている断熱性を有するキャビネットにより構成されている。この本体１Ａの内部には、次に説明する複数の貯蔵室が形成されている。
【００１２】
複数の貯蔵室としては、図１と図２に示すように、上から順に冷蔵室２、野菜室３が設けられている。この野菜室３の下には、冷凍区画としての製氷室４と貯蔵室５が左右の並べて設けられ、最下部には冷凍区画としての下冷凍室（主冷凍室ともいう）６が設けられている。下冷凍室６の収納容量は、貯蔵室５の収納容量よりも大きい。
【００１３】
なお、貯蔵室５は、後で説明する米専用保存室として用いるが、必要に応じて用途を変更して、上冷凍室（小冷凍室ともいう）としても用いることができる。
【００１４】
図１に示すように、冷蔵室２の前面には、冷蔵室２の前面開口部を開閉する左右の扉７，８が設けられている。左右の扉７，８は、観音開き式扉であり、左側の扉７の左端部が図示しないヒンジにより回動可能に取り付けられている。同様にして、右側の扉８の右端部が図示しないヒンジにより回動可能に取り付けられている。野菜室３、製氷室４、貯蔵室５、下冷凍室６の各前面には、各前面開口部を開閉する引出し式の扉９，１０，１１，１２が設けられている。
【００１５】
図１に示すように、左右の扉７，８，と引出し式の扉９，１０，１１，１２の各前面には、好ましくは透光性を有するガラス板である前面板７Ａ，８Ａ，９Ａ，１０Ａ，１１Ａ，１２Ａが配置されている。これにより、左右の扉７，８，と引出し式の扉９，１０，１１，１２の各前面側の外観デザイン上の美観を向上している。左右の扉７，８と、引出し式の扉９，１０，１１，１２は、内部に断熱材を設けることで断熱性を有している。
【００１６】
図１に示すように、左側の扉７には、操作パネル２００が設けられている。この操作パネル２００は、操作領域２０と、表示領域２１を有している。操作領域２０は、冷蔵庫１の各種の操作機能を入力でき、表示領域２１は、各種の表示項目を表示する。
【００１７】
次に、図２を参照して、冷蔵庫１の冷蔵室２、野菜室３、製氷室４、貯蔵室５、下冷凍室６の構造例を説明する。
【００１８】
図２に示すように、本体１Ａの下冷凍室６の背面位置には、機械室２２が設けられており、この機械室２２には、圧縮器２３等が配置されている。本体１Ａの背面位置には、野菜室３の後側に、冷蔵用冷気循環ファン３０と、冷蔵室・野菜室用冷却器３１と、送風ダクト３２が配置されている。
【００１９】
また、本体１Ａの背面位置には、製氷室（貯蔵室）４と貯蔵室５と下冷凍室６の後側に、冷凍用冷気循環ファン４０と、冷凍室用冷却器４１と、送風ダクト４３が配置されている。冷蔵室・野菜室用冷却器３１と冷凍用冷却器４１は、圧縮機２３から供給される冷媒によって冷却される。
【００２０】
図２に示すように、野菜室３には、収納容器３Ｍが出し入れ可能に収納されている。製氷室４には、収納容器４Ｍが出し入れ可能に収納されている。下冷凍室６には、収納容器６Ｍ、６Ｎが出し入れ可能に収納されている。
【００２１】
その他に、図２に示すように、冷蔵室２には、温度センサ５１が配置され、野菜室３には、温度センサ５２が配置され、貯蔵室５内には温度センサ５３Ｂが配置され、そして下冷凍室６には、温度センサ５４が配置されている。
【００２２】
図３は、制御部１００と、操作パネル２００と、冷凍サイクル４００と、貯蔵室５の温度センサ５３Ｂと、貯蔵室用ダンパ８９を示している。制御部１００は、例えば図１に示す本体１Ａに配置されており、制御部１００は、操作パネル２００と、冷凍サイクル４００と、貯蔵室５の温度センサ５３Ｂと、貯蔵室用ダンパ８９等に電気的に接続されている。
【００２３】
使用者が、図１に示す操作パネル２００の操作領域２０において、冷蔵庫１の各種の操作機能を入力でき、入力した操作機能は、制御部１００に通知される。表示領域２１は、制御部１００の指令により、各種の表示項目を表示可能である。
【００２４】
貯蔵室５の温度センサ５３Ｂは、貯蔵室５内の雰囲気の温度を検知して制御部１００に通知する。制御部１００は、図２に示す貯蔵室ダンパ８９の角度を調整することで、貯蔵室５内に送られる冷気を制限することで、貯蔵室５内に貯蔵して保存されている米を、適切な温度、例えば１０℃以下に保持できるようになっている。
【００２５】
図３に示す冷凍サイクル４００では、圧縮機２３と、凝縮器５６と、切替三方弁５７と、キャピラリ（減圧器）５８，５９と、冷蔵室・野菜室用冷却器３１と、冷凍室用冷却器４１が、冷媒配管により接続されている。冷媒は、冷媒配管中を矢印Ｇ方向に送られる。制御部１００が圧縮機２３を駆動して凝縮器５６により冷媒を凝縮させる。
【００２６】
制御部１００が切替三方弁５７を切り替えることによって、冷媒は、キャピラリ５８またはキャピラリ５９を通って、冷蔵室・野菜室用冷却器３１と、冷凍室用冷却器４１に交互に流れる。
【００２７】
冷媒は、キャピラリ５８により所定温度で蒸発させることで、冷蔵室・野菜室用冷却器３１は、冷蔵室２や野菜室３を設定温度に冷却することができる。冷媒は、キャピラリ５９により所定温度で蒸発させることで、冷凍室用冷却器４１は、図２に示す製氷室４と下冷凍室６と貯蔵室５を、それぞれ設定温度に冷却することができる。
【００２８】
ところで、図１と図２に示す本発明の第１実施形態の冷蔵庫１では、図２に示す上述した貯蔵室５は、米を貯蔵して保存する米専用の保存室として用いることができるが、必要に応じて上冷凍室としても使用できる。図２に示すように、米貯蔵室である貯蔵室５には、米収納容器５Ｍが出し入れ可能に収納されている。米収納容器５Ｍは、米を収納して保存するための容器である。
【００２９】
図２に示すように、引出し式の扉１１は、米収納容器５Ｍの前面部５Ｆに固定されていて、使用者が引出し式の扉１１を持って、引き出す方向ＳＳに沿って引き出すことにより、米収納容器５Ｍを貯蔵室５内から引き出して、米収納容器５Ｍ内に保存されている米を取り出すことができる。
【００３０】
ここで、図２と図４と図５を参照して、米収納容器５Ｍの好ましい形状例を説明する。
【００３１】
図４は、米収納容器５Ｍの形状例を示す斜視図であり、図５は、米収納容器５Ｍの正面図である。
【００３２】
米の最適保存場所としては、風通しがよく、涼しくて、直射日光の当たらない場所であるが、現在の家屋の家庭では、これらの条件を満たす場所が少ない。米の劣化条件項目としては、高温、高湿、低湿、日光、ニオイ移りである。
【００３３】
貯蔵室５内の米収納容器５Ｍは、米の最適保存場所の機能を有している。米収納容器５Ｍは、上部を開放している好ましくはプラスチック製の箱型の容器である。図４に示すように、米収納容器５Ｍは、前面部５Ｆと、左右の側面部５Ｇ、５Ｈと、背面部５Ｊと、底部５Ｋを有する。このため、米収納容器５Ｍは、長方形状の上部開口部５Ｌを有している。
【００３４】
図２と図４と図５に示すように、米収納容器５Ｍの底部５Ｋは、例えば平坦面であり、しかも傾斜されている。すなわち、米収納容器５Ｍの底部５Ｋは、引出し式の扉１１の引き出す方向ＳＳに関して、米収納容器５Ｍの奥側から手前側に向けて下がるように、水平線ＨＬに対して所定角度θ分だけ傾斜して形成されている。言い換えれば、米収納容器５Ｍの底部５Ｋの奥側の高さ位置は、底部５Ｋの手前側の高さ位置よりも高く設定されている。
【００３５】
これにより、小さい粒である米を米収納容器５Ｍ内に収納した状態では、米収納容器５Ｍ内に収納した小さい粒の米を使って残り少なくなった場合でも、米収納容器５Ｍ内の手前側が奥側に比べて深くなっているので、残りの米が、例えば圧縮機の振動、あるいは引出し式扉１１の引き出す際の力の内の少なくとも一方を用いて、米収納容器５Ｍの底部５Ｋの奥側から手前側に集まる。
【００３６】
このため、使用者は、米収納容器５Ｍ内の米の量が残り少なくなっても、米収納容器５Ｍ内の手前側の位置から米を容易に取り出すことができ、米収納容器５Ｍを米びつとして用いる際の使用勝手が向上できる。
【００３７】
なお、貯蔵室５内の米収納容器５Ｍには、米を収容している例えばビニール袋や紙袋から出して収納しても良いし、米を収納している袋を開けた状態でビニール袋や紙袋ごと収納しても良い。貯蔵室５内の米収納容器５Ｍに収納される重さの例としては、５ｋｇであるが、特に限定されない。
【００３８】
米は、他の食品等からニオイが移り易い性質を有する。図２に示すように、引出し式の扉１１を閉じた状態では、引出し式の扉１１は、パッキン等の密閉部材を備えており、貯蔵室５を、他の貯蔵室や外部に対して、密閉した密閉構造に保持する。貯蔵室５は密閉構造を有しているので、引出し式の扉１１を閉じた状態では、貯蔵室５内に貯蔵された米に対して、他の食品等からのニオイが移るのを防止できる。また、貯蔵室５は密閉構造を有しているので、引出し式の扉１１を閉じた状態では、貯蔵室５内に貯蔵された米は、外部の温湿度の影響を受けるのを防ぐことができる。
【００３９】
しかも、好ましくは、米収納容器５Ｍの上部開口部５Ｌは、必要に応じて、図１に示すような開閉可能な蓋部材５Ｒにより密閉して閉鎖することにより、米収納容器５Ｍの密閉性をさらに向上した密閉構造にすることができる。
【００４０】
貯蔵室５の米収納容器５Ｍ内に貯蔵された米は、低温で調湿され、密閉状態で保存でき、貯蔵室５の雰囲気は、例えば温度は１０℃以下、湿度は６５〜７５％に設定できる
このようにして、使用者のニーズにマッチさせながら、冷蔵庫１の貯蔵室５を用いて、米を貯蔵して保存することができる。
【００４１】
このため、従来の計量米びつでは、米収納室の他に、米の計量部と米受け皿を別途有する構造であるのとは異なり、本発明の第１実施形態の冷蔵庫１では、米の計量部と米受け皿を別途設けることは無いので、冷蔵庫の他の貯蔵領域が制限されることがなく、冷蔵庫の貯蔵容量を確保しながら、米を貯蔵することができる。
【００４２】
次に、本発明の他の実施形態の冷蔵庫を順次説明するが、本発明の他の実施形態の冷蔵庫の箇所が、上述した本発明の第１実施形態の冷蔵庫の箇所と同様である場合には、同じ符号を記して、その説明を用いる。以下に説明する本発明の他の実施形態の冷蔵庫においても、本発明の第１実施形態の冷蔵庫１と同様の効果を有する。
【００４３】
＜第２実施形態＞
図６を参照して、本発明の第２実施形態を説明する。
【００４４】
図６は、本発明の第２実施形態の冷蔵庫１の縦断面図である。図６に示す第２実施形態の冷蔵庫１は、図２に示す本発明の第１実施形態の冷蔵庫１と比べて、貯蔵室５の米収納容器５Ｍが、除菌・抗菌仕様になっている点が異なる。
【００４５】
図６に示す冷蔵庫１では、貯蔵室５の米収納容器５Ｍの材質としては、除菌・抗菌剤入りのプラスチックを用いている。すなわち、米収納容器５Ｍを成形する際のプラスチック原料の製造過程で、プラスチック原料に対して抗菌剤を練り込む。また、除菌剤の膜は、この米収納容器５Ｍの内面に形成する。これにより、米収納容器５Ｍには、除菌・抗菌機能を持たせている。
【００４６】
あるいは、図６に示すように、貯蔵室５の米収納容器５Ｍの材質としては、通常のプラスチックを用いて、この米収納容器５Ｍの内側の側面や内底面には、除菌・抗菌シート１５５が貼り付けられる。これにより、米収納容器５Ｍには、除菌・抗菌機能を持たせている。
【００４７】
このように、米収納容器５Ｍの材質として除菌・抗菌機能を有するプラスチックや、除菌・抗菌シート１５５を用いるか、あるいはこの両方を併用することで、貯蔵室５の米収納容器５Ｍ内への外部からの菌の付着や、米への菌の繁殖を防ぐことができる。
【００４８】
米収納容器５Ｍの除菌剤としては、好ましくは例えば酸化タングステンや酸化チタンを用いることができる。酸化タングステンは、太陽光はもちろんのこと、可視光（室内光）でも高い光触媒効果を発揮するので、部屋の明かりさえ点いていれば夜であっても光触媒効果が続いて除菌消臭をして、ニオイの成分や細菌、さらには空気汚染の原因となるガスも分子レベルで分解除去することができる。また、酸化チタンは、紫外光（太陽光）で光触媒効果を発揮するが、可視光（室内光）でも光触媒効果を発揮して除菌消臭をする。
【００４９】
一方、米収納容器５Ｍの抗菌剤としては、有機系と無機系のものがあるが、有機系のものは即効性があるが、持続効果が小さい。無機系のものでは、銀系のものが多く用いられており、持続効果が半永久的である。抗菌剤は、菌を殺すというものではなく、菌を増殖させないことが主な働きである。
【００５０】
＜第３実施形態＞
図７を参照して、本発明の第３実施形態を説明する。
【００５１】
図７は、本発明の第３実施形態の冷蔵庫１の縦断面図である。図７に示す第３実施形態の冷蔵庫１は、図２に示す本発明の第１実施形態の冷蔵庫１と比べて、貯蔵室５の米収納容器５Ｍが、湿度を調整する機能を有する仕様になっている点が異なる。
【００５２】
図７に示す冷蔵庫１では、貯蔵室５の米収納容器５Ｍの内側の側面や内底面には、調湿シート１５６が貼り付けられている。この調湿シート１５６は、湿度を調整する機能を持ったシートである。これにより、米を良好に保存するためには、湿度を６５〜７５％に調整する必要があるが、この調湿シート１５６を用いることで、米収納容器５Ｍに収納されている米を良好な一定の湿度に保つことで、米を良好な状態で保存できる。
【００５３】
あるいは調湿剤を、米収納容器５Ｍの内側の側面や内底面に塗布しても良い。
【００５４】
＜第４実施形態＞
図８を参照して、本発明の第４実施形態を説明する。
【００５５】
図８は、本発明の第４実施形態の冷蔵庫１の縦断面図である。図８に示す第４実施形態の冷蔵庫１は、図２に示す本発明の第１実施形態の冷蔵庫１と比べて、貯蔵室５の米収納容器５Ｍが、脱酸素剤１５７を具備している点が異なる。
【００５６】
図８に示す冷蔵庫１では、貯蔵室５の米収納容器５Ｍの内側の側面や内底面には、脱酸素剤１５７が配置されている。この脱酸素剤１５７は、貯蔵室５の米収納容器５Ｍ内の酸素を吸収して米収納容器５Ｍ内の雰囲気を脱酸素状態にすることができる。これにより、貯蔵室５の米収納容器５Ｍ内の米の酸化を抑えたり、好気性細菌の活動を弱らせることができる。
【００５７】
＜第５実施形態＞
図９を参照して、本発明の第５実施形態を説明する。
【００５８】
図９は、本発明の第５実施形態の冷蔵庫１の縦断面図である。図９に示す第５実施形態の冷蔵庫１は、図２に示す本発明の第１実施形態の冷蔵庫１と比べて、貯蔵室５の米収納容器５Ｍが、減酸素セル（ＣＡセル）１６０が設けられている点が異なる。
【００５９】
図９に示す減酸素セル１６０は、例えば貯蔵室５内の米収納容器５Ｍの背面部５Ｊの後側の位置に配置されている。この減酸素セル１６０は、貯蔵室５内の水を電気分解して水素ガスを生成し、この水素ガスを空気中の酸素ガスに合わせて水に変換することで、米収納容器５Ｍ内の酸素ガスを減らすことができるようになっている。これにより、貯蔵室５の米収納容器５Ｍ内の米の酸化を抑えたり、好気性細菌の活動を弱らせることができる。
【００６０】
＜第６実施形態＞
図１０を参照して、本発明の第６実施形態を説明する。
【００６１】
図１０は、本発明の第６実施形態の冷蔵庫１の縦断面図である。図１０に示す第６実施形態の冷蔵庫１は、図２に示す本発明の第１実施形態の冷蔵庫１と比べて、貯蔵室５の米収納容器５Ｍの形状が異なる。
【００６２】
図２に示す第１実施形態の米収納容器５Ｍの底部５Ｋは、引出し式の扉１１の引き出す方向ＳＳについて、米収納容器５Ｍの奥側から手前側に向けて下がるように、水平線ＨＬに対して所定角度θ分だけ傾斜して形成されている。言い換えれば、米収納容器５Ｍの底部５Ｋの奥側の高さ位置は、底部５Ｋの手前側の高さ位置よりも高く設定されている。
【００６３】
これに対して、図１０に示す第６実施形態の米収納容器５Ｍの底部５Ｋは、平坦面１６１と、傾斜面１６２を有している。平坦面１６１は、米収納容器５Ｍの前面部５Ｆ寄りの部分に形成されており、傾斜面１６２は、この平坦面１６１から米収納容器５Ｍの背面部５Ｊまで傾斜して形成されている。
【００６４】
これにより、米を米収納容器５Ｍ内に収納した状態では、米収納容器５Ｍ内に収納した米を使って、残り少なくなった場合でも、残りの米が傾斜部１６２を滑って米収納容器５Ｍの底部５Ｋの奥側から手前側の平坦面１６１側に集めることができる。
【００６５】
このため、使用者は、米収納容器５Ｍ内の米の量が残り少なくなっても、米収納容器５Ｍ内の手前側の平坦面１６１の位置から米を容易に取り出すことができ、米収納容器５Ｍを米びつとして用いる際の使用勝手が向上できる。
【００６６】
＜第７実施形態＞
図１１を参照して、本発明の第７実施形態を説明する。
【００６７】
図１１は、本発明の第７実施形態の冷蔵庫１の縦断面図である。図１１に示す第７実施形態の冷蔵庫１は、図２に示す本発明の第１実施形態の冷蔵庫１と比べて、貯蔵室５の米収納容器５Ｍの形状が異なる。
【００６８】
図１１に示す第７実施形態の米収納容器５Ｍの底部５Ｋは、傾斜した面である湾曲面１６３になっている。この湾曲面１６３は、米収納容器５Ｍの前面部５Ｆから米収納容器５Ｍの背面部５Ｊまで形成されており、湾曲面１６３の前面部５Ｆ側が湾曲面１６３の背面部５Ｊ側よりも低くなっている。
【００６９】
これにより、米を米収納容器５Ｍ内に収納した状態では、米収納容器５Ｍ内に収納した米を使って、残り少なくなった場合でも、残りの米が椀曲面１６３を滑って米収納容器５Ｍの底部５Ｋの奥側から手前側に集めることができる。
【００７０】
このため、使用者は、米収納容器５Ｍ内の米の量が残り少なくなっても、米収納容器５Ｍ内の手前側の位置から米を容易に取り出すことができ、米収納容器５Ｍを米びつとして用いる際の使用勝手が向上できる。
【００７１】
＜第８実施形態＞
図１２と図１３を参照して、本発明の第８実施形態を説明する。
【００７２】
図１２と図１３に示す米収納容器５Ｍでは、底部５Ｋが、左側の側面部５Ｇと右側の側面部５Ｈのほぼ中央部ＭＭで、最も低くなるように下に突出した突出形状になっている。図１２に示す底部５Ｋは、左側の側面部５Ｇ側から傾斜して形成されている傾斜底面１７０と、右側の側面部５Ｈ側から傾斜して形成されている傾斜底面１７１を有している。
【００７３】
また、図１３に示す底部５Ｋは、ほぼ中央部ＭＭで、最も低くなるように下に突出しており、左側の側面部５Ｇから右側の側面部５Ｈにかけて湾曲した湾曲底面１７３を有している。
【００７４】
これにより、米を米収納容器５Ｍ内に収納した状態では、米収納容器５Ｍ内に収納した米を使って、残り少なくなった場合でも、残りの米を米収納容器５Ｍの中央部ＭＭに集めることができる。このため、米収納容器５Ｍ内の米の量が残り少なくなっても、米収納容器５Ｍ内の米を、前面部５Ｆ寄りでしかも米収納容器５Ｍの中央部ＭＭに集めることができる。従って、使用者は、残りの米を容易に取り出すことができ、米収納容器５Ｍを米びつとして用いる際の使用勝手が向上できる。
【００７５】
＜第９実施形態＞
図１４と図１５を参照して、本発明の第９実施形態を説明する。
【００７６】
図１４は、本発明の第９実施形態に係わる冷蔵庫の全体を示す正面図である。図１５は、図４に示す冷蔵庫１の縦断面図である。
【００７７】
図１４と図１５に示す冷蔵庫１では、米収納容器３Ｔは、貯蔵室５ではなく、貯蔵室５よりも容積の大きい野菜室３内に引き出し可能に配置されている。
【００７８】
図１５に示すように、野菜室３は、複数段、例えば２段積みで配置された収納容器３Ｒと米収納容器３Ｔを収容している。米収納容器３Ｔの容積は、収納容器３Ｒの容積よりも大きく、米収納容器３Ｔは、収納容器３Ｒよりも下段に配置されている。
【００７９】
米収納容器３Ｔは、図２に示す米収納容器５Ｍと同様にして、引出し式の扉９の引き出す方向ＳＳについて、米収納容器３Ｔの奥側から手前側に向けて下がるように、水平線ＨＬに対して所定角度θ分だけ傾斜して形成されている。言い換えれば、米収納容器３Ｔの底部３Ｋの奥側の高さ位置は、底部３Ｋの手前側の高さ位置よりも高く設定されている。
【００８０】
これにより、米を米収納容器３Ｔ内に収納した状態では、米収納容器３Ｔ内に収納した米を使って、残り少なくなった場合でも、残りの米が米収納容器３Ｔの底部３Ｋの奥側から手前側に集まる。
【００８１】
このため、使用者は、米収納容器３Ｔ内の米の量が残り少なくなっても、米収納容器５Ｍ内の手前側の位置から米を容易に取り出すことができ、米収納容器３Ｔを米びつとして用いる際の使用勝手が向上できる。なお、野菜室３では、複数段、例えば３段積み以上に配置された収納容器の内の最下段の収納容器を米収納容器として用いても良い。
【００８２】
図１５に示す引出し式の扉９は、米収納容器３Ｔの前面部３Ｆに固定されていて、使用者が引出し式の扉９を持って、引き出す方向ＳＳに沿って引き出すことにより、米収納容器３Ｔを貯蔵室である野菜室３内から引き出すことができる。
【００８３】
図１５に示す野菜室３は、好ましくは使用者の腰の高さ位置に設置されている。これにより、使用者は、米収納容器３Ｔ内の米を取り出す際に、かがみこんだり、逆に高い位置から取り出したりする必要が無い。従って、使用者は、米収納容器３Ｔ内の米を丁度良い高さで取り出すことができ、米を取り出し易い。
【００８４】
図１５に示すように、米収納容器３Ｔは、上部を開放している底を有する好ましくはプラスチック製の箱型の容器である。米収納容器３Ｔは、前面部３Ｆと、左右の側面部３Ｇ、３Ｈと、背面部３Ｊと、傾斜した底部３Ｋを有する。米収納容器３Ｔは、長方形状の上部開口部３Ｌを有している。
【００８５】
野菜室３は米専用保存用の貯蔵室として用いる場合には、最下段の容積の大きい米収納容器３Ｔ内に米を収納して保存することができる。このため、野菜室３に野菜を貯蔵するのではなく、米専用に貯蔵する場合には、野菜室３の下部に位置する冷凍室４，６からの冷気により野菜室３内の温度が上がらないようにするために設置されているヒータ９７は、その設置を廃止することができる。このため、本体１Ａの構造を簡単化することができる。
【００８６】
ところで、図１４と図１５に示す第９実施形態は、これに限らず、図２に示す第１実施形態と同様にして、上述した図６に示す第２実施形態から図１３に示す第８実施形態と同様な構成を追加して採用することができる。
【００８７】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。本発明の各実施形態は、任意に組み合わせて用いることができる。
【００８８】
また、図示の冷蔵庫１の構造は、一例であり、任意の構造を採用することができる。
【００８９】
米収納容器は、用途に応じて、貯蔵室５と野菜室３の両方に配置しても良い。
【符号の説明】
【００９０】
１      冷蔵庫
１Ａ    本体
３      野菜室
３Ｔ    米収納容器
５      貯蔵室
５Ｍ    米収納容器
５Ｋ    米収納容器の底部
１１    引出し式扉
１５５  除菌・抗菌シート
１５６  調湿シート
１５７  脱酸素剤
１６１  平坦面
１６３  湾曲面
【図１】
2016223654.tif 000003
【図２】
2016223654.tif 000004
【図３】
2016223654.tif 000005
【図４】
2016223654.tif 000006
【図５】
2016223654.tif 000007
【図６】
2016223654.tif 000008
【図７】
2016223654.tif 000009
【図８】
2016223654.tif 000010
【図９】
2016223654.tif 000011
【図１０】
2016223654.tif 000012
【図１１】
2016223654.tif 000013
【図１２】
2016223654.tif 000014
【図１３】
2016223654.tif 000015
【図１４】
2016223654.tif 000016
【図１５】
2016223654.tif 000017